(57)【要約】【課題】セパレータに替えて番線を用いても十分に強度が保たれ、かつ、工事が比較的簡単で、工費が嵩まないラップルコンクリートを用いた基礎工法の実現を課題とする。【解決手段】基礎を構築する位置のほぼ中央に円筒形のラス型枠１を作成して設置する円筒型枠作成工程と、この円筒形ラス型枠１を中心にして周囲ラス型枠４を作成設置する周囲ラス型枠作成工程と、円筒形ラス型枠１から周囲ラス型枠４に対して番線からなる支持線５を張る支持線張架工程と、円筒形ラス型枠にラップルコンクリートを打設して円筒支柱６を形成する円筒支柱形成工程と、周囲ラス型枠４にラップルコンクリートを打設して基礎を構築する基礎打設工程とを有する。【選択図】    図４
2004270158.tif 000002
【特許請求の範囲】
【請求項１】
比較的浅い支持地盤上に構築されるラップルコンクリートからなる基礎において、
基礎全体を構築する位置のほぼ中央に円筒形の支柱をまず作成し、しかる後に基礎全体を構築することを特徴とする基礎。
【請求項２】
前記円筒形支柱は円筒形ラス型枠にラップルコンクリートを打設して作成し、
基礎はこの円筒形ラス型枠を中心として作成設置された周囲ラス型枠にラップルコンクリートを打設して作成し、
前記円筒形ラス型枠から前記周囲ラス型枠に対して複数の支持線が張られていることを特徴とする請求項１に記載の基礎。
【請求項３】
比較的浅い支持地盤上にラップルコンクリートを用いて基礎を構築する基礎工法において、
最終的にラップルコンクリートを打設して前記基礎を構築する位置のほぼ中央に円筒形ラス型枠を作成して設置する円筒型枠作成工程と、
この円筒型枠作成工程で作成設置した前記円筒形ラス型枠を中心にして前記基礎を構築するための周囲ラス型枠を作成して設置する周囲ラス型枠作成工程と、
前記円筒型枠作成工程で作成設置した前記円筒形ラス型枠から前記周囲ラス型枠作成工程で作成設置した前記周囲ラス型枠に対して複数の支持線を張る支持線張架工程と、
前記円筒型枠作成工程で作成設置した前記円筒形ラス型枠にラップルコンクリートを打設して円筒支柱を形成する円筒支柱形成工程と、
前記周囲ラス型枠にラップルコンクリートを打設して前記基礎を構築する基礎打設工程と、
を有することを特徴とする基礎工法。
【請求項４】
前記円筒型枠作成工程に先立って、基礎構築地盤を所定の支持地盤まで掘削する地盤掘削工程と、
この地盤掘削工程で掘削した掘削穴の底部に砕石を敷くか捨てコンクリートを打設する基底部形成工程を有し、
前記円筒型枠作成工程および前記周囲ラス型枠作成工程では前記基底部形成工程で敷いた砕石または打設した捨てコンクリート上に前記円筒形ラス型枠および前記周囲ラス型枠を作成設置することを特徴とする請求項３に記載の基礎工法。
【請求項５】
前記基礎構築工程の後に、再使用可能な型枠を解体する型枠解体工程と、構築された前記基礎の周囲の前記掘削穴を埋め戻す埋め戻し工程を有することを特徴とする請求項３および請求項４に記載の基礎工法。
【請求項６】
前記円筒支柱形成工程で形成される前記円筒支柱の高さは前記基礎打設工程で構築される前記基礎の高さよりも低いことを特徴とする請求項３ないし請求項５のいずれかに記載の基礎工法。
【請求項７】
前記円筒支柱形成工程で形成される前記円筒支柱の直径は好ましくは前記基礎の幅または長さの１／４より大きく１／２より小さく、より好ましくは１／３程度とすることを特徴とする請求項３ないし請求項６のいずれかに記載の基礎工法。
【請求項８】
前記支持線張架工程で張架する複数の支持線は普通鉄線を焼鈍したなまし鉄線（以下番線という）であることを特徴とする請求項３ないし請求項７のいずれかに記載の基礎工法。
【発明の詳細な説明】
【０００１】
【発明の属する技術分野】
本発明は、比較的浅い支持基盤上に設けられるラップルコンクリートを用いた基礎およびそれを作成する基礎工法に関し、とくにセパレータを用いずに比較的廉価にかつ容易に製造される基礎およびそれを作成する基礎工法に関する。
【０００２】
【従来の技術】
建築物を構築するため、比較的浅い地盤層に基礎を構築する時には、支持地盤層に達するまでラップルコンクリートを打設してこれを支持基盤として本体基礎を構築する方法が採られている。このような従来の工法では、まず、基礎を構築すべき地盤を所定の支持基盤層まで掘削し、以降の作業に支障のないように掘削穴を大きくして、掘削された掘削穴の底部の支持基盤層の上に砕石を敷くか捨てコンクリートを打設し、この砕石または捨てコンクリートの上の所定の位置に型枠を組み立て、この型枠にラップルコンクリートを打設し、所定の養生期間後に型枠を解体して取り外し、掘削穴の余堀部を埋め戻すことによって基礎を構築する手順が取られる（例えば特許文献１参照。）。
【０００３】
この場合の型枠としてラス型枠を用いる場合、型枠用のラスをセパレータを用いて相互に張架して型枠を形成し、その枠内にラップルコンクリートを打設する方法が採られていた（例えば特許文献２参照。）。セパレータは強度を保つために８ｍｍφの鉄筋などで作られているが、最終的に埋め殺しとなるため、この工法によるラップルコンクリートを用いた基礎工法は比較的高価なものになっていた。
これを少しでも廉価にするため、ラス型枠の支持線として１２番線程度のなまし鉄線（番線）をセパレータに替えて用いる方法が採られている例がある。例えば、セパレータの価格を１００円／ｍ程度とすると１２番線の価格はこの１／２５の４円／ｍ程度であり、これによって工費が大幅に低下する。
しかし、このような番線では、仮に張架する本数を増やしても強度的に充分とはいえないし、長いスパンに張架すると途中でタルミを生じて引っ張り強度が減ずるという問題が生まれる。支持線の引っ張り力、引っ張り強度が充分でないと、打ち込んだコンクリートの流体圧力によって型枠の底部に大きな力が働き、型枠の底部が開いて打設したコンクリートが流れ出してしまうおそれがある。
【０００４】
【特許文献１】
特開特開平５−２１４７３２号公報（第２頁、第１−４図）
【特許文献２】
特開２００１−３４８８８２号公報（第２−３頁、第２図）
【０００５】
【発明が解決しようとする課題】
以上述べたように、従来のラップルコンクリートを用いた基礎工法において、ラス型枠の張架にセパレータを用いると、どうしても工事が高価なものになってしまう。これを避けるため、ラス型枠の張架に番線を用いるとすると強度が足りず、型枠の底部が開いてコンクリートが流れ出すなどの問題がある。
本発明は、この問題を解決して、セパレータに替えて番線を用いても十分にラス型枠を保持する強度が保たれ、かつ、工事が比較的簡単で、工費が嵩まず、基礎としての強度も十分なラップルコンクリートを用いた基礎およびそれを作成するための工法の実現を課題とする。
【０００６】
【課題を解決するための手段】
上記課題を達成するため、本発明では、比較的浅い支持地盤上に構築されるラップルコンクリートからなる基礎において、基礎全体を構築する位置のほぼ中央に円筒形の支柱をまず作成し、しかる後に基礎全体を構築することを特徴とする。
これにより、セパレータに替えて番線を用いても十分にラス型枠を保持する強度が保たれ、かつ、工事が比較的簡単で、工費が嵩まず、基礎としての強度も十分なラップルコンクリートを用いた基礎を実現することができる。
【０００７】
ここで、前記円筒形支柱は円筒形ラス型枠にラップルコンクリートを打設して作成し、基礎はこの円筒形ラス型枠を中心として作成設置された周囲ラス型枠にラップルコンクリートを打設して作成し、前記円筒形ラス型枠から前記周囲ラス型枠に対して複数の支持線が張られていることを特徴とする。
これにより、支持線に番線を用いても十分に強度が保たれ、工事が比較的簡単で工費が嵩まず、基礎としての強度も十分なラップルコンクリートを用いた基礎を実現することができる。
【０００８】
比較的浅い支持地盤上にラップルコンクリートを用いて基礎を構築する基礎工法において、最終的にラップルコンクリートを打設して前記基礎を構築する位置のほぼ中央に円筒形ラス型枠を作成して設置する円筒型枠作成工程と、この円筒型枠作成工程で作成設置した前記円筒形ラス型枠を中心にして前記基礎を構築するための周囲ラス型枠を作成して設置する周囲ラス型枠作成工程と、前記円筒型枠作成工程で作成設置した前記円筒形ラス型枠から前記周囲ラス型枠作成工程で作成設置した前記周囲ラス型枠に対して複数の支持線を張る支持線張架工程と、前記円筒型枠作成工程で作成設置した前記円筒形ラス型枠にラップルコンクリートを打設して円筒支柱を形成する円筒支柱形成工程と、前記周囲ラス型枠にラップルコンクリートを打設して前記基礎を構築する基礎打設工程とを有することを特徴とする。
これにより、基礎を構築するに先立って円筒支柱を構築しておき、この円筒支柱を支保として番線などからなる支持線で目標基礎の周囲ラス型枠を支えるようにできるので、円筒支柱によって周囲ラス型枠にかかる力、支持線に働く張力を減らすことができる。また、円筒支柱が周囲ラス型枠の強度を保つとともに、打設されたコンクリートの流体圧力を支える役割を果たす。さらに、円筒支柱によって支持線のスパンを短くすることができて、支持線のタルミをなくして、強度を保つことができる。したがって、十分に強度が保たれ、かつ、工事が比較的簡単で、工費が嵩まないラップルコンクリートを用いた基礎工法を実現することができる。
【０００９】
また、前記円筒型枠作成工程に先立って、基礎構築地盤を所定の支持地盤まで掘削する地盤掘削工程と、この地盤掘削工程で掘削した掘削穴の底部に砕石を敷くか捨てコンクリートを打設する基底部形成工程を有し、前記円筒型枠作成工程および前記周囲ラス型枠作成工程では前記基底部形成工程で敷いた砕石または打設した前記捨てコンクリート上に前記円筒形ラス型枠および前記周囲ラス型枠を作成設置することを特徴とする。
これにより、支持地盤まで地盤を掘り起こして、支持基盤と基礎とのなじみを良くし、安定した基礎を実現することが可能な基礎工法を実現することができる。
【００１０】
さらに、前記基礎構築工程の後に、再使用可能な型枠を解体する型枠解体工程と、構築された前記基礎の周囲の前記掘削穴を埋め戻す埋め戻し工程を有することを特徴とする。
これにより、再使用可能な型枠を解体して利用することができ、基礎構築後に地盤を平らに埋め戻すことができる基礎工法を実現することができる。
【００１１】
さらにまた、前記円筒支柱形成工程で形成される前記円筒支柱の高さは前記基礎打設工程で構築される前記基礎の高さよりも低いことを特徴とする。
これにより、基礎構築後には円筒支柱も基礎の中に一体に埋め込まれた構成が可能な基礎工法を実現することができる。
【００１２】
さらにまた、前記円筒支柱形成工程で形成される前記円筒支柱の直径は好ましくは前記基礎の幅または長さの１／４より大きく１／２より小さく、より好ましくは１／３程度とすることを特徴とする。
これにより、円筒支柱の強度を充分に保ち、かつ、支持線のスパンを短くすることができる基礎工法を実現することができる。
【００１３】
さらにまた、前記支持線張架工程で張架する複数の支持線は普通鉄線を焼鈍したなまし鉄線（番線）であることを特徴とする。
これにより、入手し易く比較的廉価な番線を用いてラス型枠を補強することが可能な基礎工法を実現することができる。
【００１４】
【発明の実施の形態】
以下、本発明にかかる基礎および基礎工法を添付図面を参照にして詳細に説明する。
【００１５】
図１ないし図５に本発明の基礎工法の一実施の形態の工程図を示す。
まず、図１に示すように、基礎を構築する地盤を所定の支持地盤層まで掘削する（これは請求項４の地盤掘削工程に当たる。）。このときの支持地盤層は比較的浅いものとする。掘削地盤の崩壊を防止するため、および、爾後の作業に支障のないようにするため、掘削穴３は大きめに余堀りする。
次いで、支持地盤層まで掘削された掘削穴３の底部に砕石を敷くか捨てコンクリート２を打設する（これは請求項４の基底部形成工程に当たる。）。これにより、支持地盤層と構築する基礎とのなじみをよくすることができる。
【００１６】
この後、建設目標の本体基礎のほぼ中央に当たる部分の砕石または捨てコンクリート２上に枠体と金網からなる円筒形ラス型枠１を建設する（これは請求項３の円筒型枠作成工程に当たる。）。この円筒形ラス型枠１の直径は、最終目標とする基礎の縦横寸法の１／４よりも大きく１／２よりも小さいものとし、より好ましくは、ほぼ１／３程度とする。基礎の縦横寸法の１／４よりも小さいと出来上がる円筒支柱の強度が充分でなくなるし番線のスパンが長くなる。１／２より大きいと円筒形ラス型枠１自身の強度を番線で保つことが困難になる。また、その高さは、最終目標とする基礎の高さよりもやや低く設定する。例えば、縦５ｍ×横５ｍ×高さ３ｍの目標基礎を構築する場合であると、直径が１．７ｍ程度で高さが２．５ｍ程度の円筒形ラス型枠１を構築すればよい。
【００１７】
次いで、図２に示すように、この円筒形ラス型枠１を中心にしてその周囲に最終目標の基礎の型枠となる周囲ラス型枠４を建設する（これは請求項３の周囲ラス型枠作成工程に当たる。）。
次いで、図３に示すように、円筒形ラス型枠１の外周から周囲ラス型枠４に対して、周囲ラス型枠４の強度を保持するための番線からなる支持線５を複数本張架する（これは請求項３の支持線張架工程に当たる。）。この場合の番線には例えば１２番ぐらいのものを使用する。
【００１８】
続いて、図４に示すように、円筒形ラス型枠１の内部にラップルコンクリートを打設し、所定の養生を行なって硬化させ、円筒支柱６を形成する（これは請求項３の円筒支柱形成工程に当たる。）。このように円筒支柱６を形成すると、この円形支柱６を支保にして先に張った支持線５で周囲ラス型枠４を支えることになるので、支持線５にかかる力が円筒支柱６に分散されて、細い番線を用いても十分に周囲ラス型枠４を支えることができる。さらに、円筒支柱６を設けたことで、支持線５のスパンを円筒支柱６がなかったときの１／３近くまで短くできるので、その分、支持線５に張力が掛けやすく、また、支持線５のタルミを抑えることができる。
さらにまた、後で述べるように、円筒支柱６を形成した後で周囲ラス型枠４にラップルコンクリートを打設した場合、円筒支柱６が硬化前のラップルコンクリートの流体圧力を支える役割を果たすため、周囲ラス型枠４への流体圧力が低減されることになる。
【００１９】
円筒支柱６の養生が終了すると、今度は図５に示すように周囲ラス型枠４にラップルコンクリートを打設する。そうして所定の養生の後、円筒支柱６をも埋め尽くした最終目標の基礎７が構築される（これは請求項３の基礎打設工程に当たる。）。
目標の基礎が構築された後、周囲ラス型枠４に用いられていた型枠のうちに再使用可能な型枠を解体して除去し（これは請求項５の型枠解体工程に当たる。）、掘削穴３の構築された基礎７の周辺部分を埋め戻して終了する（これは請求項５の埋め戻し工程に当たる。）。
【００２０】
以上、本発明の基礎工法を具体的な実施の形態にそって説明したが、本発明はこの実施の形態に限定されるものではなく、例えば、各工程の順序などに多少の変動があっても差し支えないことはいうまでもない。例えば、以上の説明での支持線張架工程と円筒支柱形成工程との順が逆になっても差し支えなく、さらに、円筒支柱形成工程の後に周囲ラス型枠作成工程と支持線張架工程とを持ってきても差し支えない。
また、以上に説明した基礎工法で実現される基礎も本発明の対象とするものである。
【００２１】
【発明の効果】
以上述べたように、本発明の基礎工法では、最終目標の基礎の構築に先立って基礎構築部分の中央に円筒支柱を形成し、この円筒支柱でラス型枠を保持する番線の強度を保ち、番線のスパンを短くし、ラップルコンクリートの流体圧力に耐えるようにしたので、ラップルコンクリートを用いた基礎工事を充分な強度を保持しつつ番線を用いて廉価に実現することができる。
また、この工法を用いることによって、充分な強度を有し比較的廉価な基礎を容易に実現することができる。
【図面の簡単な説明】
【図１】本発明の基礎工法の工程図（その１）。
【図２】本発明の基礎工法の工程図（その２）。
【図３】本発明の基礎工法の工程図（その３）。
【図４】本発明の基礎工法の工程図（その４）。
【図５】本発明の基礎工法の工程図（その５）。
【符号の説明】
１      円筒形ラス型枠
２      砕石または捨てコンクリート
３      掘削穴
４      周囲ラス型枠
５      支持線
６      円筒支柱
７      基礎
【図１】
2004270158.tif 000003
【図２】
2004270158.tif 000004
【図３】
2004270158.tif 000005
【図４】
2004270158.tif 000006
【図５】
2004270158.tif 000007